(57)【特許請求の範囲】
【請求項１】
帯水層に達する深井戸と、
前記深井戸から地下水をくみ上げる揚水手段と、
前記深井戸と比較して深度が小さい穴であって、前記揚水手段によって前記深井戸からくみ上げられた地下水を蓄え、蓄えた地下水の水位が前記深井戸の自然水位と比較して高位となる貯水穴と、
地上のヒートポンプから前記貯水穴の内部に引き込まれて下方に向けて通されると共に、上方に折り返して前記貯水穴の外部に引き出され、前記ヒートポンプから送り出される液体を循環させる循環管と、
前記揚水手段によって前記深井戸からくみ上げられた地下水を、前記貯水穴の相対的に深い位置に注ぐ注水手段と、
前記貯水穴内の地下水を、前記貯水穴の相対的に浅い位置から排出することで、前記貯水穴内に下方から上方に向けた対流を生じさせる排水手段と、
前記揚水手段によって前記深井戸からくみ上げられた地下水を、前記貯水穴の相対的に浅い位置に注ぐ第２注水手段と、
前記貯水穴内の地下水を、前記貯水穴の相対的に深い位置からくみ上げることで、前記貯水穴内に上方から下方に向けた対流を生じさせる第２排水手段と、
前記ヒートポンプが温熱を利用する場合に前記注水手段及び前記排水手段を機能させる一方で、前記ヒートポンプが冷熱を利用する場合に前記第２注水手段及び前記第２排水手段を機能させる制御手段と、を備え、
前記貯水穴内の地下水と、前記循環管を流れる液体と、の間で熱を移動させることを特徴とする
熱交換システム。
【請求項２】
前記排水手段として、
前記貯水穴からオーバーフローした地下水が自然に流れる排水流路と、
前記貯水穴内の地下水をくみ上げる排水ポンプと、を備えていることを特徴とする
請求項１に記載の熱交換システム。
【請求項３】
前記貯水穴は、井戸であることを特徴とする
請求項１又は２に記載の熱交換システム。
【発明の詳細な説明】
【技術分野】
【０００１】
本発明は、地下水を利用した熱交換システムに関する。
【背景技術】
【０００２】
原油価格の高騰やＣＯ２削減に対する意識の高まりにより、ランニングコストが安くクリーンエネルギーである地中熱を利用したヒートポンプ（以下、地中熱ヒートポンプという。）が開発され、市場に導入されつつある。
【０００３】
特許文献１及び２に開示されている地中熱ヒートポンプは、井戸に建て込んだＵチューブに水などの液体を流し、井戸内の地下水とＵチューブを流れる液体との間で熱のやり取りをすることで、地中熱を取得する。
【先行技術文献】
【特許文献】
【０００４】
【特許文献１】特許第５０６７９５６号公報
【特許文献２】特許第５６９０９６０号公報
【発明の概要】
【発明が解決しようとする課題】
【０００５】
しかしながら、多量の地下水が消雪用としてくみ上げられる地域（例えば、新潟県長岡市）では、自然水位が低下するので、上述の地中熱ヒートポンプの場合、機能させることができない恐れがある。
【０００６】
本発明は、上記課題を鑑みてなされたものであり、自然水位の高低とは無関係に地中熱ヒートポンプを機能させることができる熱交換システムを提供することを目的とする。
【課題を解決するための手段】
【０００７】
（１）本発明は、帯水層に達する深井戸と、前記深井戸から地下水をくみ上げる揚水手段と、前記深井戸と比較して深度が小さい穴であって、前記揚水手段によって前記深井戸からくみ上げられた地下水を蓄え、蓄えた地下水の水位が前記深井戸の自然水位と比較して高位となる貯留穴と、地上のヒートポンプから前記貯留穴の内部に引き込まれて下方に向けて通されると共に、上方に折り返して前記貯留穴の外部に引き出され、前記ヒートポンプから送り出される液体を循環させる循環管と、前記揚水手段によって前記深井戸からくみ上げられた地下水を、前記貯水穴の相対的に深い位置に注ぐ注水手段と、前記貯水穴内の地下水を、前記貯水穴の相対的に浅い位置から排出することで、前記貯水穴内に下方から上方に向けた対流を生じさせる排水手段と、前記揚水手段によって前記深井戸からくみ上げられた地下水を、前記貯水穴の相対的に浅い位置に注ぐ第２注水手段と、前記貯水穴内の地下水を、前記貯水穴の相対的に深い位置からくみ上げることで、前記貯水穴内に上方から下方に向けた対流を生じさせる第２排水手段と、前記ヒートポンプが温熱を利用する場合に前記注水手段及び前記排水手段を機能させる一方で、前記ヒートポンプが冷熱を利用する場合に前記第２注水手段及び前記第２排水手段を機能させる制御手段と、を備え、前記貯留穴内の地下水と、前記循環管を流れる液体と、の間で熱を移動させることを特徴とする熱交換システムである。
【０００８】
本発明によれば、深井戸からくみ上げられた地下水を、深井戸と比較して深度が小さい貯留穴に蓄え、貯留穴内の地下水と、循環管を流れる液体と、の間で熱を移動させるので、深井戸の自然水位が低下している場合であっても、地中熱ヒートポンプを機能させることができる。
そして、上記発明によれば、貯留穴内に生じた対流により、貯留穴内の地下水と、循環管を流れる液体と、の間で熱を効率的に移動させることができる。
また、上記発明によれば、貯留穴の適切な箇所に注水することができると共に、貯留穴の適切な箇所から排水することができる。
さらに、上記発明によれば、ヒートポンプが温熱を利用する場合には、温熱を有する地下水を貯留穴の相対的に深い位置に注ぐと共に、貯留穴の相対的に浅い位置から地下水を排出することになり、貯留穴内に下方から上方に向けた対流を生じさせることができる。
一方、ヒートポンプが冷熱を利用する場合には、冷熱を有する地下水を貯留穴の相対的に浅い位置に注ぐと共に、貯留穴の相対的に深い位置から地下水をくみ上げることになり、貯留穴内に上方から下方に向けた対流を生じさせることができる。
このように、貯留穴内に生じた対流により、貯留穴内の地下水と、循環管を流れる液体と、の間で熱を効率的に移動させることができる。
【００１１】
（２）本発明はまた、前記排水手段として、前記貯留穴からオーバーフローした地下水が自然に流れる排水流路と、前記貯留穴内の地下水をくみ上げる排水ポンプと、を備えていることを特徴とする上記（１）に記載の熱交換システムである。
【００１２】
上記発明によれば、排水ポンプによって貯留穴内の地下水を積極的にくみ上げることで、注水手段によって貯留穴内へ注ぐ地下水の量を増やすことができる。これにより、貯留穴内の地下水と、循環管を流れる液体と、の間で移動させる熱の量を増やすことができる。
【００１９】
（３）本発明はまた、前記貯水穴は、井戸であることを特徴とする上記（１）又は（２）に記載の熱交換システムである。
【発明の効果】
【００２０】
本発明の上記（１）〜（３）に記載の熱交換システムによれば、自然水位の高低とは無関係に地中熱ヒートポンプを機能させることができる。
【図面の簡単な説明】
【００２１】
【図１】本発明の第１実施形態に係る熱交換システムの概略図である。
【図２】制御盤の構成を示すブロック図である。
【図３】本発明の第２実施形態に係る熱交換システムの概略図である。
【図４】本発明の第３実施形態に係る熱交換システムの概略図である。
【発明を実施するための形態】
【００２２】
以下、図面を参照して、本発明の実施形態に係る熱交換システムについて詳細に説明する。
【００２３】
［第１実施形態］まず、図１及び図２を用いて、第１実施形態に係る熱交換システム１の構成について説明する。図１は、熱交換システム１の概略図である。図２は、制御盤２１の構成を示すブロック図である。なお、各図において、一部の構成を適宜省略して、図面を簡略化する。
【００２４】
図１に示す熱交換システム１は、地中熱を利用したヒートポンプ（地中熱ヒートポンプ）システムである。この熱交換システム１は、制御盤２１によって統括的に制御される。すなわち、熱交換システム１は、制御盤２１の制御下において動作して、その動作状況が制御盤２１によって管理される。具体的に、熱交換システム１は、各所に配置された温度計の計測結果などに基づいて、各部の動作が所望する状況となるようにフィードバック制御される。
【００２５】
このような熱交換システム１は、深井戸２と、揚水管（注水手段）３と、揚水ポンプ（揚水手段）４と、浅井戸５と、循環管６と、循環ポンプ７と、地下水温度計測管８と、循環液温度計９と、ヒートポンプ１０と、排水流路（排水手段）１１と、制御盤２１等を備えている。
【００２６】
深井戸２は、地中ＧＲＤの帯水層ＷＢＬに達する穴であり、例えば、当該穴に筒体（図示省略）が埋設されている。帯水層ＷＢＬは、地下水を含む地層である。帯水層ＷＢＬの上面は、一般的に、地上から１００ｍ程度の深さＤに位置する。このため、筒体が埋設されている場合、当該筒体の長さは、帯水層ＷＢＬに達するように１００ｍ程度で適宜設定されている。なお、深井戸２は細く深いものであり、その内径は、１２０ｍｍ以上２５０ｍｍ以下が好ましい。
【００２７】
深井戸２の内部には、帯水層ＷＢＬから地下水が浸入している。深井戸２の内部に浸入している地下水の自然水位ｈ１は、一般的には地表面から１０ｍ以内の深さとなるが、地下水のくみ上げ等によって下がっているものとし、ここでは、例えば、地表面から８０ｍ程度とする。このような深井戸２には、揚水管３と揚水ポンプ４等が挿入されている。
【００２８】
揚水管３は、その一端が深井戸２の内部に引き込まれていると共に、その他端が浅井戸５の内部に引き込まれている。この揚水管３は、揚水ポンプ４の動力によって深井戸２から取り込まれた地下水を、浅井戸５まで流す。
【００２９】
揚水ポンプ４は、深井戸２の内部において、揚水管３の一端に取り付けられている。この揚水ポンプ４は、深井戸２から揚水管３に地下水を取り込んで、揚水管３内の地下水に動力を付与する。
【００３０】
浅井戸５は、深井戸２と比較して深度が小さい貯水穴であり、例えば、当該穴に筒体（図示省略）が埋設されている。筒体が埋設されている場合、当該筒体の長さは、５０ｍ程度で適宜設定されている。このような浅井戸５には、揚水管３と、循環管６と、地下水温度計測管８等が挿入されている。なお、浅井戸５は細く（深井戸２と比較して深度が小さいが）深いものであり、その内径は、１２０ｍｍ以上２５０ｍｍ以下が好ましい。
【００３１】
浅井戸５の内部には、揚水ポンプ４によって深井戸２からくみ上げられ揚水管３を介して注がれた地下水が蓄えられている。浅井戸５の内部に蓄えられている地下水の水位ｈ２は、深井戸２の自然水位ｈ１と比較して高位となり、例えば、地表面から１０ｍ以内の深さとなる。なお、水位ｈ２は、排水流路１１の口（符号省略）の高さと略一致する。
【００３２】
循環管６は、地上のヒートポンプ１０から浅井戸５の内部に引き込まれて下方に向けて通されていると共に、浅井戸５における下方で上方に折り返して浅井戸５の外部に引き出されている。この循環管６は、循環ポンプ７の動力によって、ヒートポンプ１０から送り出される水などの液体を循環させる。これにより、浅井戸５内の地下水と、循環管６を流れる液体と、の間で熱の移動が可能になる。すなわち、熱交換システム１は、浅井戸５内の地下水が循環管６を流れる液体よりも低温の場合、循環管６を流れる液体を冷却する。一方、熱交換システム１は、浅井戸５内の地下水が循環管６を流れる液体よりも高温の場合、循環管６を流れる液体を加熱する。
【００３３】
循環ポンプ７は、循環管６の途中に設けられ、地下水温度計測管８を構成する温度計８ａ及び循環液温度計９の計測結果などに基づいて動作する。これにより、循環ポンプ７は、循環管６内の液体に動力を付与することで、循環管６内の液体を循環させる。
【００３４】
地下水温度計測管８は、浅井戸５内に挿入されている。この地下水温度計測管８は、管本体８ａと、複数の温度計８ｂと、を備えている。複数の温度計８ｂは、互いに所定の間隔（例えば、１０ｍ間隔）をおいて管本体８ａに取り付けられている。これら複数の温度計８ｂは、浅井戸５内の地下水の温度を計測し、その計測結果を信号にして出力し、その信号を制御盤２１に入力する。
【００３５】
循環液温度計９は、循環管６の途中に設けられている。この循環液温度計９は、浅井戸５内の地下水と熱の移動をする前の循環管６内の液体の温度を計測し、その計測結果を信号にして出力し、その信号を制御盤２１に入力する。
【００３６】
ヒートポンプ１０は、循環管６等が接続されている。このヒートポンプ１０は、循環管６を流れる液体の冷熱又は温熱をかき集め、かき集めた冷熱又は温熱を冷暖房や給湯などに利用可能にする。すなわち、ヒートポンプ１０は、浅井戸５において循環管６内の液体に移動していた地下水の冷熱又は温熱を取り出して、冷暖房や給湯などに利用可能にする。
【００３７】
排水流路１１は、浅井戸５からオーバーフローした地下水が、重力等によって自然に流れる排水流路であり、浅井戸５からオーバーフローした地下水を河川や下水道に流す。
【００３８】
揚水管３が、揚水ポンプ４によって深井戸２からくみ上げられた地下水を、浅井戸５の相対的に深い位置に注ぐ注水手段である一方、排水流路１１は、浅井戸５内の地下水を、浅井戸５の相対的に浅い位置から排出することで、浅井戸５内に下方から上方に向けた対流を生じさせる排水手段である。
【００３９】
図２に示すように、制御盤２１は、データロガー２２とＣＰＵ（Central Processing Unit）２３とを有する。
【００４０】
データロガー２２は、例えばＲＡＭ（Random Access Memory）などの記録媒体によって構成されている。このデータロガー２２には、ＣＰＵ２３が各種処理を実行するための処理プログラムと各種処理を実行する際に用いられる各種データ（判定部２５が判定に用いるデータを含む。）及び各種フラグが記憶されている。
【００４１】
ＣＰＵ２３は、データロガー２２に記憶された処理プログラムを実行することによって、通信部２４、判定部２５及び制御部２６として機能する。
【００４２】
通信部２４は、熱交換システム１の各部との間で信号を送受信する。具体的に、通信部２４は、地下水温度計測管８を構成する温度計８ｂ、及び循環液温度計９等から出力された信号を、判定部２５に転送する。そして、通信部２４は、制御部２６が出力する制御信号を、揚水ポンプ４、循環ポンプ７及びヒートポンプ１０に転送する。
【００４３】
判定部２５は、地下水温度計測管８を構成する温度計８ｂ、及び循環液温度計９等から出力された信号に基づいて各種判定を行うことで、揚水ポンプ４、循環ポンプ７及びヒートポンプ１０等のそれぞれの運転状況を決定する。そして、判定部２５は、判定結果を信号にして制御部２６に出力する。
【００４４】
制御部２６は、揚水ポンプ４、循環ポンプ７及びヒートポンプ１０等のそれぞれに対して、通信部２４を介して、判定部２５から出力された信号に基づく制御信号を出力し、それぞれの運転状況を制御する。
【００４５】
次に、熱交換システム１における熱の流れを図１に基づいて説明する。
【００４６】
まず、夏季などに冷房を行う場合を説明する。ヒートポンプ１０は、循環管６を流れる液体から冷熱をかき集め、かき集めた冷熱を冷房に利用する。循環管６を流れる液体は、ヒートポンプ１０において加熱される。ヒートポンプ１０で加熱された循環管６内の液体は、浅井戸５内の地下水を加熱する際に冷却されて、ヒートポンプ１０で再び利用可能となる。循環管６を流れる液体によって加熱された浅井戸５内の地下水は、深井戸２からの地下水の移動や、排水流路１１による排水、あるいは、大気との接触等によって冷却される。
【００４７】
続いて、冬季などに暖房や給湯を行う場合を説明する。ヒートポンプ１０は、循環管６を流れる液体から温熱をかき集め、かき集めた温熱を暖房や給湯に利用する。循環管６を流れる液体は、ヒートポンプ１０において冷却される。ヒートポンプ１０で冷却された循環管６内の液体は、浅井戸５内の地下水を冷却する際に加熱されて、ヒートポンプ１０で再び利用可能となる。循環管６を流れる液体によって冷却された浅井戸５内の地下水は、深井戸２からの地下水の移動や、排水流路１１による排水、あるいは、大気との接触等によって加熱される。
【００４８】
このように、熱交換システム１によれば、深井戸２からくみ上げられた地下水を、深井戸２と比較して深度が小さい浅井戸５に蓄え、浅井戸５内の地下水と、循環管６を流れる液体と、の間で熱を移動させるので、深井戸２の自然水位ｈ１が低下している場合であっても、地中熱ヒートポンプを機能させることができる。すなわち、熱交換システム１によれば、自然水位ｈ１の高低とは無関係に地中熱ヒートポンプを機能させることができる。
【００４９】
また、深井戸２からくみ上げられた地下水を浅井戸５の相対的に深い位置に注ぐと共に、浅井戸５の相対的に浅い位置から地下水を排出することで、浅井戸内に下方から上方に向けた対流を生じさせるので、当該対流により、浅井戸５内の地下水と、循環管６を流れる液体と、の間で熱を効率的に移動させることができる。
【００５０】
［第２実施形態］次に、図３を用いて、第２実施形態に係る熱交換システム３１の構成について説明する。図３は、熱交換システム３１の概略図である。
【００５１】
なお、ここでは、第２実施形態に係る熱交換システム３１の特徴部分のみを説明し、第１実施形態に係る熱交換システム１と同様の構成、作用及び効果についての説明は適宜省略する。この次に説明する第３実施形態についても同様に扱う。
【００５２】
熱交換システム３１は、第１実施形態に係る熱交換システム１（図１参照）の構成に加え、排水管３２及び排水ポンプ（排水手段）３３等を備えている。
【００５３】
排水管３２は、先端が浅井戸５の内部に引き込まれていると共に、基端が排水ポンプ３３に接続されている。この排水管３２は、排水ポンプ３３の動力によって浅井戸５から地下水を取り込む。
【００５４】
排水ポンプ３３は、浅井戸５内の地下水をくみ上げる排水手段であり、排水管３２の基端に接続されている。この排水ポンプ３３は、浅井戸５内の地下水に動力を付与し、浅井戸５から排水管３２に地下水を取り込む。これにより、水位ｈ２は、排水流路１１の口（符号省略）の高さよりも若干低くなる。
【００５５】
揚水管３が、揚水ポンプ４によって深井戸２からくみ上げられた地下水を、浅井戸５の相対的に深い位置に注ぐ注水手段である一方、排水ポンプ３３は、排水流路１１と同様、排水管３２を利用して、浅井戸５内の地下水を浅井戸５の相対的に浅い位置から排出することで、浅井戸５内に下方から上方に向けた対流を生じさせる。
【００５６】
通信部２４（図２参照）は、制御部２６（図２参照）が出力する制御信号を、排水ポンプ３３等に転送する。判定部２５（図２参照）は、排水ポンプ３３等のそれぞれの運転状況を決定する。制御部２６は、排水ポンプ３３等のそれぞれに対して、通信部２４を介して、判定部２５から出力された信号に基づいて制御信号を出力し、それぞれの運転状況を制御する。
【００５７】
このように、熱交換システム３１によれば、排水ポンプ３３によって浅井戸５内の地下水を積極的にくみ上げることで、揚水管３によって浅井戸５内へ注ぐ地下水の量を増やすことができる。これにより、浅井戸５内の地下水と、循環管６を流れる液体と、の間で移動させる熱の量を増やすことができる。
【００５８】
［第３実施形態］次に、図４を用いて、第３実施形態に係る熱交換システム４１の構成について説明する。図４は、熱交換システム４１の概略図である。
【００５９】
熱交換システム４１は、第２実施形態に係る熱交換システム３１（図３参照）の構成に加え、注水管（第２注水手段）４２と、切替弁４３と、第２排水管４４と、切替弁４５等を備えている。
【００６０】
注水管４２は、その一端が切替弁４３を介して揚水管３の途中に接続されていると共に、その他端が浅井戸５の内部に引き込まれている。この注水管４２は、揚水ポンプ４の動力によって深井戸２から取り込まれた地下水を、浅井戸５まで流す。
【００６１】
切替弁４３は、揚水管３と注水管４２との分岐点に設けられ、揚水管３に取り込まれた深井戸２の地下水の送り先を、そのまま揚水管（第１注水手段）３とするか、注水管（第２注水手段）４２とするかで切り替える。
【００６２】
第２排水管４４は、先端が浅井戸５の内部に引き込まれていると共に、基端が切替弁４５を介して排水管３２の途中に接続されている。この第２排水管４４は、排水ポンプ３３の動力によって浅井戸５から地下水を取り込む。これにより、水位ｈ２は、排水流路１１の口（符号省略）の高さよりも若干低くなる。
【００６３】
注水管４２が、揚水ポンプ４によって深井戸２からくみ上げられた地下水を、浅井戸５の相対的に浅い位置に注ぐ第２注水手段である一方、排水ポンプ３３は、第２排水管４４を利用して、浅井戸５内の地下水を浅井戸５の相対的に深い位置からくみ上げることで、浅井戸５内に上方から下方に向けた対流を生じさせる第２排出手段である。
【００６４】
通信部２４（図２参照）は、制御部（制御手段）２６（図２参照）が出力する制御信号を、切替弁４３，４５等に転送する。判定部２５（図２参照）は、切替弁４３，４５等のそれぞれの運転状況を決定する。
【００６５】
制御部２６は、切替弁４３，４５等のそれぞれに対して、通信部２４を介して、判定部２５から出力された信号に基づいて制御信号を出力し、それぞれの運転状況を制御する。具体的に、制御部２６は、ヒートポンプ１０が温熱を利用する場合に切替弁４３，４５を切り替えて、注水手段である揚水管３を機能させると共に、排水管３２を利用して、排水手段である排水ポンプ３３を機能させる。そして、制御部２６は、ヒートポンプ１０が冷熱を利用する場合に切替弁４３，４５を切り替えて、第２注水手段である注水管４２を機能させると共に、第２排水管４４を利用して、第２排水手段である排水ポンプ３３を機能させる。
【００６６】
次に、熱交換システム３１における熱の流れを図３に基づいて説明する。
【００６７】
まず、冬季などに暖房や給湯を行う場合を説明する。温熱を有する地下水は、深井戸２から、第１注水手段である揚水管３を介して、浅井戸５内の相対的に深い位置に注がれる。そして、浅井戸５内の地下水は、排水管３２を介して、浅井戸５内の相対的に浅い位置から排水される。浅井戸５内に注がれた温熱を有する地下水は、浅井戸５内に下方から上方に向けた対流を生じさせる。
【００６８】
続いて、夏季などに冷房を行う場合を説明する。冷熱を有する地下水は、深井戸２から、第２注水手段である注水管４２を介して、浅井戸５内の相対的に浅い位置に注がれる。そして、浅井戸５内の地下水は、第２排水管４４を介して、浅井戸５内の相対的に深い位置から排水される。浅井戸５内に注がれた冷熱を有する地下水は、浅井戸５内に上方から下方に向けた対流を生じさせる。
【００６９】
このように、熱交換システム４１によれば、深井戸２からくみ上げられた地下水を、浅井戸５の相対的に深い位置に注ぐ揚水管３と、深井戸２からくみ上げられた地下水を、浅井戸５の相対的に浅い位置に注ぐ注水管４２と、を備えているので、浅井戸５の適切な箇所に注水することができる。
【００７０】
そして、浅井戸５内の地下水を、浅井戸５の相対的に浅い位置から排出する排水管３２と、浅井戸５内の地下水を、浅井戸５の相対的に深い位置から排出する第２排水管４４と、を備えているので、浅井戸５の適切な箇所から排水することができる。
【００７１】
また、ヒートポンプ１０が温熱を利用する場合（暖房時、給湯時）には、温熱を有する地下水を浅井戸５の相対的に深い位置に注ぐと共に、浅井戸５の相対的に浅い位置から地下水を排出することとなり、浅井戸５内に下方から上方に向けた対流を生じさせることができる。
【００７２】
一方、ヒートポンプ１０が冷熱を利用する場合（冷房時）には、冷熱を有する地下水を浅井戸５の相対的に浅い位置に注ぐと共に、浅井戸５の相対的に深い位置から地下水をくみ上げることとなり、浅井戸５内に上方から下方に向けた対流を生じさせることができる。
【００７３】
このように、浅井戸５内に生じた対流により、浅井戸５内の地下水と、循環管６を流れる液体と、の間で熱を効率的に移動させることができる。
【００７４】
本発明は、上記各実施形態に限られるものではなく、その趣旨及び技術思想を逸脱しない範囲で種々の変形が可能である。すなわち、各構成の位置、大きさ、長さ、数量、形状、材質、タイミングなどは適宜変更できる。
【００７５】
すなわち、上記第３実施形態では、１台の揚水ポンプ３と、切替弁４３と、を備えることで、注水手段である揚水管４と、第２注水手段である注水管４２と、を実現しているが、本発明はこれに限定されるものではない。本発明は、２台の揚水ポンプと、各揚水ポンプに一対一で対応した注水手段及び第２注水手段と、を備えるようにしたものであってもよい。
【００７６】
また、上記第３実施形態では、１台の排水ポンプ３３と、切替弁４５と、を備えることで、１台の排水ポンプ３３で排水手段と第２排水手段とを実現しているが、本発明はこれに限定されるものではない。本発明は、２台の排水ポンプと、各排水ポンプに一対一で対応した２本の排水管と、を備えるようにしたものであってもよい。
【００７７】
また、上記各実施形態では、深井戸２と比較して深度が小さい貯水穴として、浅井戸５の場合を例に説明したが、本発明はこれに限定されるものではない。本発明における貯水穴は、貯水槽等であってもよく、深さ２ｍ〜３ｍ程度の浅いものであってもよいし、上面視で方形のものであってもよい。
【符号の説明】
【００７８】
１  熱交換システム
２  深井戸
３  揚水管（注水手段）
４  揚水ポンプ（揚水手段）
５  浅井戸（貯水穴、井戸）
６  循環管
７  循環ポンプ
８  地下水温度計測管
８ａ  管本体
８ｂ  温度計
９  循環液温度計
１０  ヒートポンプ
１１  排水流路（排水手段）
２１  制御盤
２２  データロガー
２３  ＣＰＵ
２４  通信部
２５  判定部
２６  制御部（制御手段）
３１  熱交換システム
３２  排水管
３３  排水ポンプ（排水手段，第２排水手段）
４１  熱交換システム
４２  注水管（第２注水手段）
４３  切替弁
４４  第２排水管
４５  切替弁
ＧＲＤ  地中
ＷＢＬ  帯水層
Ｄ  深さ
ｈ１  自然水位
ｈ２  水位
【要約】
【課題】自然水位の高低とは無関係に地中熱ヒートポンプを機能させる。
【解決手段】熱交換システム１は、帯水層ＷＢＬに達する深井戸２と、深井戸２から地下水をくみ上げる揚水ポンプ４と、深井戸２と比較して深度が小さい井戸であって、揚水ポンプ４によって深井戸２からくみ上げられた地下水を蓄え、蓄えた地下水の水位ｈ２が深井戸２の自然水位ｈ１と比較して高位となる浅井戸５と、地上のヒートポンプ１０から浅井戸５の内部に引き込まれて下方に向けて通されると共に、上方に折り返して浅井戸５の外部に引き出され、ヒートポンプ１０から送り出される液体を循環させる循環管６と、を備え、浅井戸５内の地下水と、循環管６を流れる液体と、の間で熱を移動させる。
【選択図】図１【図１】
0005959035.tif 000002
【図２】
0005959035.tif 000003
【図３】
0005959035.tif 000004
【図４】
0005959035.tif 000005